(57)【特許請求の範囲】
【請求項１】
弾力性を有する合成樹脂材料からなる空隙率７０〜９５％の帯状のネット部材を、その頂部を曲折させて落下防止柵に被せ、該落下防止柵の頂部表面と間隙を持たせて少なくとも頂部を覆うようにして、落下防止柵に止着してなることを特徴とする落下防止柵の防鳥構造。
【請求項２】
ネット部材を円筒状又は半円筒状に曲折させたことを特徴とする請求項１記載の落下防止柵の防鳥構造。
【請求項３】
ネット部材を、帯状のネット部材の縦糸と落下防止柵の長手方向とが略平行になるように設置したことを特徴とする請求項１又は２記載の落下防止柵の防鳥構造。
【請求項４】
ネット部材を、帯状のネット部材の縦糸と落下防止柵の長手方向とが所定の角度を有するように設置したことを特徴とする請求項１又は２記載の落下防止柵の防鳥構造。
【請求項５】
落下防止柵の一方の面に、ネット部材の端縁を折り返して止着してなることを特徴とする請求項１、２、３又は４記載の落下防止柵の防鳥構造。
【請求項６】
落下防止柵への止着に、着脱可能な止着具を用いたことを特徴とする請求項１、２、３、４又は５記載の落下防止柵の防鳥構造。
【請求項７】
ネット部材の一方の端縁を延設して落下防止柵の一方の面を覆う延設部を形成したことを特徴とする請求項１、２、３、４、５又は６記載の落下防止柵の防鳥構造。
【請求項８】
ネット部材の合成樹脂材料に、耐候性、耐熱性、防塵性のうちの少なくとも１つの機能を付与する機能剤を適用することを特徴とする請求項１、２、３、４、５、６又は７記載の落下防止柵の防鳥構造。
【発明の詳細な説明】
【技術分野】
【０００１】
本発明は、ベランダ、テラス等での鳥害を防止する落下防止柵の防鳥構造に関するものである。
【背景技術】
【０００２】
旧来より鳥害を防止するための工夫が数多くなされ、農園芸分野においては防護すべき田畑の周りには侵入防止ネット、天敵の模写体、鳥が忌避する光反射体等が設置されている。
一方、都市部の住宅等においては、特に、鳩等による糞公害が大きな問題となっており、このため同様の鳥害防止設備が強く要望されている。
【０００３】
そして、このような要望に応えるため、ベランダ等の外側開放部をネット部材で覆閉できるベランダ等における鳥害防止用ネットの張設方法が提案されている（例えば、特許文献１参照）。
しかしながら、この鳥害防止設備は、ベランダ等の外側開放部をネット部材で覆閉することを前提とするため、大掛かりな設備となり、その材料の調達と手間が住人にとって大きな負担となるとともに、ネット部材が視界を妨げるという問題があった。
【特許文献１】特開２００１−４５９５６号公報
【発明の開示】
【発明が解決しようとする課題】
【０００４】
本発明は、上記従来のベランダ等における鳥害防止設備の有する問題点に鑑み、少ない材料と手間で、ベランダ、テラス等の落下防止柵に簡単に取り付けることが可能で、かつ、視界を妨げることのない落下防止柵の防鳥構造を提供することを目的とする。
【課題を解決するための手段】
【０００５】
上記目的を達成するため、本発明の落下防止柵の防鳥構造は、弾力性を有する合成樹脂材料からなる空隙率７０〜９５％の帯状のネット部材を、その頂部を曲折させて落下防止柵に被せ、該落下防止柵の頂部表面と間隙を持たせて少なくとも落下防止柵の頂部を覆うようにして、落下防止柵に止着してなることを特徴とする。
【０００６】
この場合において、ネット部材を円筒状又は半円筒状に曲折させることができる。
【０００７】
また、ネット部材を、帯状のネット部材の縦糸と落下防止柵の長手方向とが略平行になるように設置することができる。
【０００８】
また、ネット部材を、帯状のネット部材の縦糸と落下防止柵の長手方向とが所定の角度を有するように設置することができる。
【０００９】
また、落下防止柵の一方の面に、ネット部材の端縁を折り返して止着することができる。
【００１０】
また、落下防止柵への止着に、着脱可能な止着具を用いることができる。
【００１１】
また、ネット部材の一方の端縁を延設して落下防止柵の一方の面を覆う延設部を形成することができる。
【００１２】
また、ネット部材の合成樹脂材料に、耐候性、耐熱性、防塵性のうちの少なくとも１つの機能を付与する機能剤を適用することができる。
【発明の効果】
【００１３】
本発明の落下防止柵の防鳥構造は、弾力性を有する合成樹脂材料からなる空隙率７０〜９５％の帯状のネット部材を、その頂部を曲折させて落下防止柵に被せ、該落下防止柵の頂部表面と間隙を持たせて少なくとも落下防止柵の頂部を覆うようにして、落下防止柵に止着してなることから、鳥が落下防止柵の頂部に留まった場合、落下防止柵の頂部表面と間隙を持たせて落下防止柵の頂部を覆うようにしたネット部材が弾力性で揺れ動いて鳥のバランスを失わせるため、鳥がその場所を忌避して寄り付かなくなり、糞公害等の鳥害を防止することができる。
そして、ネット部材は、落下防止柵を覆うだけでよいため、少ない材料と手間で、ベランダ、テラス等の落下防止柵に簡単に取り付けることが可能で、かつ、視界を妨げることのなく、また、ネット部材が着色容易な合成樹脂材料からなるため、ベランダ、テラス等と調和の取れた色調とすることにより美観を損なうことなく鳥害を防止することができる。
【００１４】
また、ネット部材を円筒状又は半円筒状に曲折させることにより、確実に落下防止柵の頂部表面と間隙を持たせて落下防止柵の頂部を覆うようにすることができる。
【００１５】
また、ネット部材を、帯状のネット部材の縦糸と落下防止柵の長手方向とが略平行になるように設置することにより、ネット部材の端縁の処理を簡易に行うことができる。
【００１６】
また、ネット部材を、帯状のネット部材の縦糸と落下防止柵の長手方向とが所定の角度を有するように設置することにより、鳥が留まった場合にネット部材を揺れ動きやすくすることができる。
【００１７】
また、落下防止柵の一方の面に、ネット部材の端縁を折り返して止着することにより、確実に落下防止柵の頂部表面と間隙を持たせて落下防止柵の頂部を覆うようにすることができる。
【００１８】
また、落下防止柵への止着に、着脱可能な止着具を用いることにより、落下防止柵の頂部表面との間隙の調整等を容易に行えるとともに、例えば、落下防止柵に布団を干す場合に、ネット部材の一方の端縁の止着を解除し、ネット部材を他方の端縁側に垂れ下がるようにすることで、ネット部材を落下防止柵の頂部から取り外して容易に布団を干すことができる。
【００１９】
また、ネット部材の一方の端縁を延設して落下防止柵の一方の面を覆う延設部を形成することにより、落下防止柵の開放部をネット部材で覆閉できるとともに、ベランダ、テラス等の外部からの目隠しとすることができる。
【００２０】
また、ネット部材の合成樹脂材料に、耐候性、耐熱性、防塵性のうちの少なくとも１つの機能を付与する機能剤を適用することにより、耐候性、耐熱性、防塵性のある防鳥構造とすることができる。
【発明を実施するための最良の形態】
【００２１】
以下、本発明の落下防止柵の防鳥構造の実施の形態を、図面に基づいて説明する。
【実施例１】
【００２２】
図１に、本発明の落下防止柵の防鳥構造の第１実施例を示す。
この落下防止柵の防鳥構造は、弾力性を有する合成樹脂材料からなる空隙率７０〜９５％の帯状のネット部材１を、その頂部を曲折させて落下防止柵２（本実施例においては、落下防止柵２の手摺り２１）に被せ、落下防止柵２の頂部表面と間隙Ｃを持たせて少なくとも落下防止柵２の頂部を覆うようにして、落下防止柵２に止着するようにしたものである。
【００２３】
この場合、ネット部材１と落下防止柵２の頂部表面との間隙Ｃは、鳥が落下防止柵２の頂部に留まった場合、落下防止柵２の頂部を覆うようにしたネット部材１が弾力性で揺れ動いて鳥のバランスを失わせることができるように、特に限定されるものではないが、１０〜１００ｍｍ程度（本実施例においては、２０ｍｍ程度）に設定するようにする。
【００２４】
ネット部材１の原材料には、ポリ塩化ビニル等のビニル系、ポリエチレン、ポリプロピレン等のポリオレフィン系、エチレン酢酸ビニル共重合体等の各種の合成樹脂材料を好適に用いることができる。
また、上記合成樹脂材料に、適宜の顔料を混合することで、ベランダ、テラス等と調和の取れた色調、例えば、景観を害することのない黒色に着色することができ、これにより、美観を損なうことなく鳥害を防止することができる。
また、上記合成樹脂材料に、耐候性、耐熱性、防塵性のうちの少なくとも１つの機能を付与する耐候剤、耐熱剤、帯電防止剤等の防塵剤等の機能剤を適用することにより、耐候性、耐熱性、防塵性のある防鳥構造とすることができる。
なお、機能剤としては、このほか、充填剤や可塑剤を配合することができ、これにより、ネット部材１の硬さや弾力性を適宜調整することができる。
【００２５】
また、ネット部材１は、図１並びに図２（ａ）及び（ｂ）に示すような角目や図２（ｃ）に示すような菱目の単糸ネットを好適に用いることができる。
そして、角目の場合には、帯状のネット部材１の縦糸１１と落下防止柵２の長手方向とが略平行になるように設置し、菱目の場合には、帯状のネット部材１の縦糸１１と落下防止柵２の長手方向とが所定の角度を有するように設置するようにする。
ネット部材１に用いる単糸ネットは、原材料である熱可塑性樹脂を連続押出成形することにより得ることができるが、このようにして得られた単糸ネットは、縦糸（長手方向の糸）１１と横糸１２が溶融着し、網目が崩れにくく、一部の破損が他の部分に及ぼす影響がきわめて小さいため、取扱性、耐久性等の点で優れている。
なお、ネット部材１は、溶融接合形態の単糸ネットのほか、有結形態の単糸ネットを用いることができる。
【００２６】
このネット部材１に用いる単糸ネットは、特に限定されるものではないが、単糸太さが１〜２ｍｍで、糸１１、１２の間隔を１０〜６０ｍｍ程度に設定した正方形の目のほか、本実施例に示すように、縦糸１１の間隔を１０〜４０ｍｍ程度（図２（ａ）及び（ｂ）に示す実施例においては、２０ｍｍ）、横糸１２の間隔を２０〜１００ｍｍ程度（図２（ａ）に示す実施例においては、６０ｍｍ、図２（ｂ）に示す実施例においては、４０ｍｍ）に設定した長方形の目のものを好適に用いることができる。
このような、長方形の目や菱目の単糸ネットは、鳥が留まった場合にネット部材１を揺れ動きやすくすることができる。
【００２７】
ネット部材１を落下防止柵２に止着するに当たっては、例えば、図３（ａ）に示すように、ネット部材１が落下防止柵２の外側（又は内側）に垂れ下がるように適宜の止着具３を用いてネット部材１の端縁を止着した後、図３（ｂ）に示すように、止着した端縁を折り返し、その頂部を曲折させて落下防止柵２（本実施例においては、落下防止柵２の手摺り２１）に被せ、落下防止柵２の頂部表面と間隙Ｃを持たせて少なくとも落下防止柵２の頂部を覆うようにし、図３（ｃ）に示すように、落下防止柵２に適宜の止着具３を用いてネット部材１の他方の端縁を止着するようにする。
このように、落下防止柵２の一方の面に、ネット部材１の端縁を折り返して止着することにより、確実に落下防止柵２の頂部表面と間隙Ｃを持たせて落下防止柵２の頂部を覆うようにすることができる。
【００２８】
この場合、ネット部材１は、円筒状又は半円筒状に曲折させる（必要に応じて、予めネット部材１を曲折加工することができる。）ことにより、確実に落下防止柵２の頂部表面と間隙Ｃを持たせて落下防止柵２の頂部を覆うようにすることができる。
【００２９】
ネット部材１を落下防止柵２に止着する方法は、上記のものに限定されず、例えば、図４（ａ）に示すように、ネット部材１が落下防止柵２の外側（又は内側）に垂れ下がるように適宜の止着具３を用いてネット部材１の端縁を止着具３に形成したリング部３１に揺動可能に装着した後、図４（ｂ）に示すように、揺動可能に装着した端縁を中心に揺動し、その頂部を曲折させて落下防止柵２（本実施例においては、落下防止柵２の手摺り２１）に被せ、落下防止柵２の頂部表面と間隙Ｃを持たせて少なくとも落下防止柵２の頂部を覆うようにし、図４（ｃ）に示すように、落下防止柵２に適宜の止着具３を用いてネット部材１の他方の端縁を止着するようにすることもできる。
このように、落下防止柵２の一方の面に、ネット部材１の端縁を止着具３に形成したリング部３１に揺動可能に装着することにより、ネット部材１を落下防止柵２に容易に止着することができる。
【００３０】
ネット部材１の止着に用いる止着具３には、汎用の止着具、例えば、図５（ａ）に示すようなインシュロックタイ（商品名）３ａや図５（ｂ）に示すようなリングロック３ｂ（商品名）を用いることができる。
そして、止着具３に、上記リングロック３ｂのような着脱可能な止着具を用いることにより、落下防止柵２の頂部表面との間隙Ｃの調整等を容易に行えるとともに、例えば、落下防止柵２に布団を干す場合に、ネット部材１の一方（落下防止柵２の内側（又は外側））の端縁の止着を解除し、ネット部材１を他方（落下防止柵２の外側（又は内側））の端縁側に垂れ下がるようにすることで、ネット部材１を落下防止柵２の頂部から取り外して容易に布団を干すことができる。
【実施例２】
【００３１】
図６に、本発明の落下防止柵の防鳥構造の第２実施例を示す。
この落下防止柵の防鳥構造は、上記第１実施例の落下防止柵の防鳥構造のネット部材１の一方（落下防止柵２の内側（又は外側））の端縁を延設して落下防止柵２の一方（内側（又は外側））の面を覆う延設部１０を形成するようにしたものである。
これにより、落下防止柵２の開放部をネット部材１で覆閉できるとともに、ベランダ、テラス等の外部からの目隠しとすることができる。
【００３２】
上記各実施例の落下防止柵の防鳥構造は、弾力性を有する合成樹脂材料からなる空隙率７０〜９５％の帯状のネット部材１を、その頂部を曲折させて落下防止柵２に被せ、落下防止柵２の頂部表面と間隙Ｃを持たせて少なくとも落下防止柵２の頂部を覆うようにして、落下防止柵２に止着してなることから、鳥が落下防止柵２の頂部に留まった場合、落下防止柵２の頂部表面と間隙Ｃを持たせて落下防止柵２の頂部を覆うようにしたネット部材１が弾力性で揺れ動いて鳥のバランスを失わせるため、鳥がその場所を忌避して寄り付かなくなり、糞公害等の鳥害を防止することができる。
そして、ネット部材１は、落下防止柵２を覆うだけでよいため、少ない材料と手間で、ベランダ、テラス等の落下防止柵２に簡単に取り付けることが可能で、かつ、視界を妨げることのなく、また、ネット部材１が着色容易な合成樹脂材料からなるため、ベランダ、テラス等と調和の取れた色調とすることにより美観を損なうことなく鳥害を防止することができる。
【００３３】
以上、本発明の落下防止柵の防鳥構造について、その実施例に基づいて説明したが、本発明は上記実施例に記載した構成に限定されるものではなく、その趣旨を逸脱しない範囲において適宜その構成を変更することができるものである。
【産業上の利用可能性】
【００３４】
また、本発明の落下防止柵の防鳥構造は、少ない材料と手間で、ベランダ、テラス等の落下防止柵に簡単に取り付けることが可能で、かつ、視界を妨げることがないことから、特に、鳩等の糞公害等の鳥害が大きな問題となっている地域や場所のベランダ、テラス等の落下防止柵に適用することで、確実に鳥害を防止することができる。
【図面の簡単な説明】
【００３５】
【図１】本発明の落下防止柵の防鳥構造の第１実施例を示し、（ａ）は正面図、（ｂ）は側面断面図である。
【図２】ネット部材を示し、（ａ）及び（ｂ）は角目の単糸ネット、（ｃ）は菱目の単糸ネットの説明図である。
【図３】ネット部材を落下防止柵に止着する方法を示す説明図である。
【図４】ネット部材を落下防止柵に止着する方法を示す説明図である。
【図５】ネット部材の止着に用いる止着具の説明図である。
【図６】本発明の落下防止柵の防鳥構造の第２実施例を示し、（ａ）は正面図、（ｂ）は側面断面図である。
【符号の説明】
【００３６】
１    ネット部材
１０  延設部
２    落下防止柵
２１  手摺り
３    止着具
Ｃ    間隙
【図１】
0004699914.tif 000002
【図２】
0004699914.tif 000003
【図３】
0004699914.tif 000004
【図４】
0004699914.tif 000005
【図５】
0004699914.tif 000006
【図６】
0004699914.tif 000007